(57)【要約】      （修正有）【課題】内視鏡検査を行う際に、患者からのウイルスの飛沫やエアロゾル及び吐血などの飛散から医療従事者への被曝を防護し安全に廃棄できる飛沫飛散防止器具を提供する。【解決手段】蠅帳のような釣鐘型の四角錐様骨格を棒状部材１で形成し、構成される面は隙間なくビニール膜２で覆われ、一面には逆Ｔ字型の切れ込み４を有する開口部を有し横臥した患者の頭部を開口部を介して骨格部の略中央に案内した状態で患者に対して貫通口５を介して内視鏡装置６を挿入し検査を行う。検査時は第二の貫通口７から吸引チューブ８を接続して持続的に吸引し装置内部を軽度の陰圧状態にすることで飛沫やエアロゾルの飛散を低減する。使用後は蠅帳のように折畳み小さくコンパクトにして廃棄することができる。【選択図】図２
0003231737.tif 000002
【実用新案登録請求の範囲】
【請求項１】
少なくとも３本の棒状部材と、
前記棒状部材の一端を互いに近接させた状態で回動可能に保持する支持部材と、
前記棒状部材をそれらの他端が所定の多角形を形成するように展開させた状態でそれぞれの棒状部材間及び前記多角形を覆うことにより閉空間を形成するように前記棒状部材に固着された透明ビニール膜とを有し、
前記透明ビニール膜は前記閉空間に横臥した患者の頭部を導くための切込み及び前記患者に内視鏡装置を挿入するための第一の貫通口を有することを特徴とする飛沫飛散防止器具。
【請求項２】
内部に空気が注入されることにより所定の立体形状の輪郭部を形成する柔軟な材料で構成されたチューブと、
前記チューブに空気が注入された状態で規定される立体形状の各面を覆うことにより閉空間を形成するように前記チューブに固着された透明ビニール膜とを有し、
前記透明ビニール膜は前記閉空間に横臥した患者の頭部を導くための切込み及び前記患者に内視鏡装置を挿入するための第一の貫通口を有し、
前記チューブは空気を注入する空気注入口を有することを特徴とする飛沫飛散防止器具。
【請求項３】
請求項１又は２において、前記透明ビニール膜は前記閉空間内部を陰圧状態にするための吸引器を挿入する第二の貫通口を有することを特徴とする飛沫飛散防止器具。
【請求項４】
請求項１ないし３のいずれかにおいて、前記透明ビニール膜は前記閉空間の下部に袋状に突出した受け部を有し、前記受け部の底部に前記受け部内部を陰圧状態にするための吸引器を挿入する第三の貫通口を有することを特徴とする飛沫飛散防止器具。
【請求項５】
請求項１において、前記支持部材は外周部において前記棒状部材の一端を回動可能に保持する外筒と、前記外筒内を摺動可能に配置され前記外筒の端部において前記外筒との位置関係を固定するための係止機構を有する内筒とを有し、
さらに前記内筒と前記棒状部材のそれぞれとに連結され前記内筒の摺動に応じて前記内筒及び前記棒状部材に対して回動可能な補助棒状部材とを有し、
前記内筒が前記外筒に前記係止機構により固定された状態で、前記補助棒状部材によって前記棒状部材の位置が固定されるように構成したことを特徴とする飛沫飛散防止器具。
【請求項６】
請求項１において、前記支持部材は前記棒状部材のそれぞれの一端を回動可能に保持するヒンジ機構を有し、かつ前記棒状部材が前記閉空間を形成するように位置した状態で前記棒状部材を固定する係止部材を有することを特徴とする飛沫飛散防止器具。
【考案の詳細な説明】
【技術分野】
【０００１】  本考案は、医療における内視鏡検査の際に、ウイルスなどの上気道感染症を有する患者からの飛沫やエアロゾル飛散から医療従事者を防護すること、および、吐血した患者への内視鏡検査を行う際に飛散する血液や吐物などから医療従事者を防護するための防護装置に関する。
【背景技術】
【０００２】  ２１世紀になり我々人類は、重症急性呼吸器症候群コロナウイルス（ＳＡＲＳ−ＣｏＶ）、中東呼吸器症候群コロナウイルス（ＭＥＲＳ−ＣｏＶ）、そして新型コロナウイルス（ＳＡＲＳ−ＣｏＶ−２）による感染症（ＣＯＶＩＤ−１９）などの世界的な流行を経験している。また、新型コロナウイルスが鎮静化されたとしても、航空網の発達と国際化により、世界のどこかで更なる新型ウイルス感染症が発生した場合には、新型コロナウイルスのように短期間で世界的な流行を引き起こしてしまう可能性が考えられる。【０００３】  これらのウイルスの感染経路として、一般的には接触感染と飛沫感染が主であると言われている。このうち飛沫感染は、感染者の飛沫（くしゃみ、咳、つばなど）と一緒にウイルスが放出され、近くにいる周囲の人がそのウイルスを口や鼻などから吸い込んで感染するものをいう。また、真偽は定かではないが、長時間空気中を漂う飛沫核（エアロゾルの一種）にウイルスなどの病原体が混じったものを吸い込むことにより感染する空気感染も新型コロナウイルスの感染経路の原因となり得るとの報告もある。【０００４】  医療従事者は防護服などを着用の上、患者への処置や治療を行うが、その中でも飛沫、エアロゾル発生の高リスクとなるものがあり、内視鏡検査はその一つである。また、吐血している患者に内視鏡検査を行う場合には、血液が飛散し、Ｃ型肝炎ウイルスなどのウイルス感染を有する患者へ内視鏡検査を行う場合には医療従事者への被曝の危険性が少なからず存在する。このような事態への対応策として、特許文献１には、患者に切れ込みのあるマスクをして内視鏡を行うことで医療従事者を守るという内視鏡検査用マスクが開示されている。また、特許文献２には、直方体の枠とビニール袋を用いた内視鏡用飛沫エアロゾル飛散防止装置が開示されている。
【先行技術文献】
【特許文献】
【０００５】
【特許文献１】実用新案登録第３２２７４６４号公報
【特許文献２】実用新案登録第３２２９１９５号公報
【考案の概要】
【考案が解決しようとする課題】
【０００６】  新型コロナウイルスは感染力が強いとされ世界的な大流行を認め、全世界的な社会問題となっている。このような患者に内視鏡検査を行う際には、咳嗽、嘔吐をきたしやすく、飛沫、エアロゾル飛散の高リスクの検査とされる。それを解決する方法として、特許文献１のように内視鏡検査中の被験者の咽頭反射やくしゃみによる飛沫の拡散の防止を目的とした内視鏡検査用マスクが提案されている。これにより一部の飛沫は防ぐことができるかもしれないが、マスク内の空間は狭い上に内視鏡通過用の穴が空いているため、くしゃみや咳嗽時のマスク内の圧力が高くなり、口腔と内視鏡通過用の穴が近接しており、圧の逃げ道として内視鏡通過用の穴から飛沫やエアロゾルが逃げてしまうことは否定できない。マスク外に飛散したエアロゾルはマスクがない場合と同様に空気中を漂ってしまう。また、本考案者が先に提案した特許文献２の内視鏡用飛沫エアロゾル飛散防止装置は、飛散防止効果は高いものの、骨格の組み立てやすさと廃棄のしやすさなど使いやすさにおいては改善の余地がある。【０００７】  本考案の目的は、飛沫等の飛散防止効果が高く、かつ組み立てやすく廃棄しやすい、ディスポーザブルな内視鏡用飛沫飛散防止器具を提供することにある。
【課題を解決するための手段】
【０００８】  この課題を解決するために本考案では少なくとも３本、好ましくは４本の棒状部材を有し、これらの棒状部材の一端を互いに近接させた状態で回動可能に保持する支持部材を用いて、棒状部材が支持部材を支点として折り畳めるように構成する。また、棒状部材の他端が所定の多角形、好ましくは正方形の頂点を形成するように棒状部材を支持部材に対して回動させて展開させ、この多角形が底面となるような状態で、それぞれの棒状部材間及び前記の多角形を透明ビニール膜で覆うことにより閉空間が形成されるようにする。そして、この透明ビニール膜には前記の閉空間の底部に横臥した患者の頭部を導くための切込み及び患者に内視鏡装置を挿入するための貫通口を設ける。【０００９】  また、本考案では上述の棒状部材に替え、内部に空気を充填できるチューブを用いることにより、上述の支持部材を用いずとも空気が充填されたチューブ自体で自立する構造とすることもできる。【００１０】  さらに、ビニール膜の底面付近であって、患者が導入された際にその頭部の前下方に袋状の受けを設け、吐血などの吐物を収容可能とする構成としてもよい。この袋の底部には吸引チューブを接続できるよう貫通口が設けられる。
【考案の効果】
【００１１】  本考案によれば、簡単な構造と操作によって、内視鏡検査時に患者からの飛沫やエアロゾル飛散を最小限に抑えることが可能となった。一例として、吐血患者の内視鏡治療の際に、従来の防護装置なしの方法では、患者の吐血により内視鏡術者のスコープを握る手袋や着ているガウンに血液が付着する事が多い。これに対し、本考案に係る器具を用いて内視鏡治療を行ったところ、ビニール膜で構成される閉空間内に血しぶきが閉じ込められ、内視鏡術者の手袋やガウンには肉眼的に血液の付着はほとんど認められなかった。また、使用済みの本考案器具を廃棄する時には、内視鏡挿入部分及び患者導入用の切込み部分をガムテープ等で閉じることで血液を外に飛散させる事なく廃棄することができた。ウイルス、飛沫、エアロゾルは肉眼的に簡単に捉えにくいものであり、感染を絶無にすることは困難と思われるが、大きく低減していると思われる。【００１２】  本考案では、閉空間の枠となる棒状部材を折り畳むことができるので保管に便利であるとともに、使用後は折り畳んだ状態で廃棄容易でありディスポーザブルであると言う特徴を有する。内視鏡検査終了直後は、検査機器等を片付けつつ同時に患者に気を配らなければならない看護師などコ・メディカルにおいても被曝の危険性が高まるタイミングであるが、本考案にかかる飛散防止器具を折り畳み式のディスポーザブルとすることにより、被曝の危険性の低減が期待できる。【００１３】  本考案ではさらに吐血に対する受けとなる袋状の受けを設置し、それにつながる様に吸引チューブを連結できるようにしているため、内視鏡検査中に患者が嘔吐や吐血した際の吐物を受けとなる袋に集まり、持続吸引することで血液を含めた吐物による被曝から医療従事者を守ることが期待できる。【００１４】  なお、アクリル板を患者と医師間に設置した防護装置も防護の点では非常に有用と思われ検討してみたが、一度使った後に次の患者に使う前に消毒しなければならないので、頻回の使用には向いていない。その防護装置をアルコールなど消毒液を含む布で拭く場合は、ウイルスは目に見えないため完全に拭き切れているか、消毒が十分であるかどうかを判断することは難しく、それをコ・メディカルのスタッフに任せることも負担が大きい。【００１５】  また、病院内においてクーパー（医療用ハサミ）、鑷子（ピンセット）など、何度も繰り返し使うリユースの道具については、オートクレーブ（滅菌装置）で滅菌したのちに使用することがある。一般的にオートクレーブ滅菌の温度は摂氏１２１度で２０分処理という形で行われるが、アクリル樹脂は摂氏８０度から１００度程度で軟化変形し始めると言われており、素材に関して耐熱性を上げるなどの工夫が必要と考えられる。しかし、耐熱性をクリアしたとしても防護装置は体が入る分の大きさとなるため、必ずしもオートクレーブ内には入らない医療施設もあるかもしれず、また、度重なる滅菌を行う場合には従来の業務を圧迫することにもつながる。もしもアクリル板防護装置をたくさん作って準備する場合には広い保管スペースをとってしまい、また使用後の消毒待ちの装置も場所をとってしまう。本考案者が従事する病院では、アクリル素材の滅菌方法として、微生物を不活化する��菌剤として過酸化水素を前駆物質として利用した低温プラズマ滅菌法であるステラッド滅菌を実施している。これは低温度滅菌法であるものの、肩が入るくらいの大きな装置は同滅菌装置には入らなかった。【００１６】  以上の諸事項を勘案すると、医療現場としては、使用する前は小さく折り畳まれており、使用するときに装置を大きく展開でき、また、使い捨て可能なディスポーザブルで安全に廃棄できる形態を有する本考案を採用する効果は大きいものと考える。
【図面の簡単な説明】
【００１７】
【図１】本考案の一実施例を示す図。
【図２】図１の実施例を横臥した患者に適用した状態を示す図。
【図３】図１の実施例に袋状の受け１０と第２の吸引チューブ１２を接続した状態を示す図。
【図４】図３の実施例を横臥した患者に適用した状態を示す図。
【図５】図３、４の袋状の受け１０の拡大図で、第２の吸引チューブとの連結部１１が閉じている状態を示す図。
【図６】図３、４の袋状の受け１０の拡大図で、連結部１１に第２の吸引チューブ１２を連結している状態を示す図。
【図７】（Ａ）図３、４の袋状の受け１０の他の案である蛇腹状受け１３の折畳み時の図。（Ｂ）図３、４の袋状の受け１０の他の案である蛇腹状受け１３の展開時の図。（Ａ）、（Ｂ）のいずれも第２の吸引チューブとの連結部１１が閉じている状態を示す図。
【図８】図３、４の袋状の受け１０の他の案である蛇腹状受け１３の展開時で、連結部１１に第２の吸引チューブ１２を連結している状態を示す図。
【図９】図１に示す実施例の頂部付近の構造を示す図（折畳み時）。
【図１０】図１に示す実施例の頂部付近の構造を示す図（展開時）。
【図１１】図９、図１０の内筒１８の断面図ではじき１９の構造を示す図。
【図１２】図９、図１０の内筒１８の断面図で手３９で押して、はじき１９を内筒１８の内部に収納している図。
【図１３】本考案の他の実施例における頂部付近の構造の平面図（展開時）。
【図１４】（Ａ）図１３の正面図（展開時）。（Ｂ）図１３のＡ−Ａ’断面図（展開時）。
【図１５】（Ａ）図１３の正面図（折畳み時）。（Ｂ）図１３のＡ−Ａ’断面図（折畳み時）。
【図１６】図１３に示す実施例の要部斜視図。
【図１７】本考案の他の実施例における頂部付近の構造の平面図（展開時）。
【図１８】図１７のＢ−Ｂ’断面図（展開時）。
【図１９】図１７のＢ−Ｂ’断面図（折畳み時）。
【図２０】図１７に示す実施例の要部斜視図。
【図２１】本考案の図１に示す実施例の内視鏡検査終了後の処置を示す図。
【図２２】本考案の図１に示す実施例の内視鏡検査終了後の廃棄前処置を示す図。
【図２３】本考案の他の実施例において用いられるチューブ２８の構造を示す図。
【図２４】図２３の部材を用いた本考案の他の実施例の構成を示す図。
【図２５】頂部空気注入口２９の拡大断面図で栓３０が開いた図。
【図２６】頂部空気注入口２９の拡大断面図で栓３０が閉じた図。
【図２７】頂部空気注入口２９の拡大断面図で、手で摘んでチューブ内の空気を抜いている図。
【図２８】頂部空気注入口２９の拡大断面図で、棒で押してチューブ内の空気を抜いている図。
【図２９】頂部空気注入口２９を切断してチューブ内の空気を抜いている図。
【図３０】図２４に示す実施例器具を使用後に安全に廃棄する状況を示す図。
【図３１】図２４に示した実施例の更に他の実施例を示す図。
【考案を実施するための形態】
【００１８】  以下、図面を用いて本考案を実施するための形態を説明する。
図１、図２において、４本の棒状部材である親骨１により立体形状の骨格部が構成される。骨格を構成する親骨１の素材はしなやかに湾曲するプラスチックや金属を用いる。この骨格部の大きさが、あまりに大きすぎると内視鏡ベッドなどに収まらなくなる。一般的に内視鏡用ベッドの幅は６５ｃｍ程度で、救急用ストレッチャーの幅は５５〜６１ｃｍ程度であり、これに収まるように親骨１の端部３Ａ、３Ｂ、３Ｃ、３Ｄで構成される骨格底面の四角形の一辺は５０ｃｍ程度が望ましい。
【００１９】  これらの素材は骨格を形成するため丈夫である必要があるが、ディスポーザブルであることと運び易くするために安価で軽い材質であることが望ましい。
【００２０】  図示のように展開された状態で隣接する親骨間、及び親骨１の端部３Ａ、３Ｂ、３Ｃ、３Ｄで作られる四角形を透明ビニール膜２で覆うことにより閉空間が形成される。ビニール膜２の一面に切込み４があり、そこから患者９に頭部が略中央に位置するように骨格内に入ってもらう。この切込み４の一つの例として、図示したように逆Ｔ字型の切込みとすることにより広い開放部が得られる。
【００２１】  そして、上記患者に対してビニール膜に設けられた第一の貫通口５から内視鏡装置６を挿入して内視鏡検査を行う。内視鏡検査中は、ビニール膜に設けられた第二の貫通口７から吸引チューブ８を接続し、持続吸引することで骨格内は陰圧に保たれるため、切込み４から本装置内に新鮮な空気がもたらされ、さらに内視鏡検査中に患者がくしゃみ、咳嗽、嘔吐をしても本装置外には拡散しにくい状態を作り出すことができる。
【００２２】  図３、図４は図１、図２の患者の頭部の前下方の稜に、袋状の受け１０を設置したタイプである。吐血を来している患者に内視鏡検査下に止血術を行うことがあるが、Ｂ型肝炎ウイルス、Ｃ型肝炎ウイルスなどの感染症に罹患している患者が、内視鏡検査中に噴出するように吐血を来すことがあり、医療従事者は感染力のある血液の被曝を受けることがある。図１、２の構造でも被曝を防ぐことができるが、特にその吐血などの嘔吐物を袋状の受け１０で受けることができる。
【００２３】  図５は袋状受け１０の拡大図であり、第三の貫通口となる袋状受けの連結部１１を有し、連結部を閉じて袋状の受けとして使用することができる。さらに、吐血量が多い場合は、連結部１１を開き吸引チューブ１２を接続し持続吸引することである程度液体状の血液や嘔吐物は吸引することができる。この袋状の受け１０は吸引チューブ１２から吸引するため、その吸引力に打ち勝つ材質または構造とする。一例としては、この部分の材料を硬質プラスチックとして図５、図６に示す形状を形作る。また、その一例としては、図７、図８に示すような蛇腹状受け１３を用いる。受けとして使用しない時は、図７（Ａ）のように折畳んだ状態であるが、図７（Ｂ）のように蛇腹状受け１３を展開して吐物をためておくことができる。また、図８のように連結部１１から、第２の吸引チューブ１２で持続吸引することができ、吐血など液体状の吐物を吸引することができる。
【００２４】  図９、図１０は、図１から図４に示す親骨を骨格が蠅帳や傘のような形態で展開または折りたたむ機構を示すものであり、図１から図４の頂部３Ｅ付近の構造の拡大図である。図９、図１０において、内筒１８の下端には補助棒状部材である受骨２０の一端が回動可能に連結されており、受骨２０の他端はだぼ１７によって親骨１に回動可能に連結されている。内筒１８の上端にはひも１５が繋がっており、ひも１５の端部につまみ１４が連結されている。親骨１の根本は外筒１６に回動可能に連結されており、この外筒１６を片方の手で支持した状態で、つまみ１４を上方に引っ張ることで、受骨２０が親骨１に作用して蠅帳や傘の様に骨格が展開していく。内筒１８は外筒１６内を摺動し、図１０のように内筒１８が外筒１６にすっぽりと収納された段階で、ストッパー２１とはじき１９からなる係止機構により親骨１が展開された状態を維持することができる。
【００２５】  はじき１９の仕組みを図１１、図１２に示す。はじき１９は板バネの構造であり、その反発力により普段は内筒１８の外側に突き出ている。はじき１９を内筒１８の内部に向かって手３９で押しこむと、図１２のようにはじき１９は内筒１８の中に収納され、また、手を離すと図１１のようにはじき１９の一部は内筒から外側に突き出た状態となる。図１０の様に親骨１が展開した状態から閉じるには、はじき１９を手で押し込み内筒１８表面を平らな状態とし、その状態で外筒１６内で内筒１８を摺動させ、さらに離間させることにより、図９のように折り畳んだ状態に戻すことができる。
【００２６】  図１３から図１６は、頂部３Ｅ付近の構造の他の実施例を示している。図１３はその平面図（展開時）であり、４本の親骨１が最頂部の十字形支持体２２に回動用ピン２３で連結され、回動可能なヒンジ構造となっている。十字形支持体２２と親骨１には、それぞれ固定用凹形状部２４と固定用凸状部２５を設けている。図１４（Ａ）は図１３の展開している状態の正面図であり、図１４（Ｂ）は図１３のＡ−Ａ’断面図、図１６は展開時の斜視図である。親骨１が、ストッパー２１により可動域が制限されて固定され、さらに前記の固定用凹形状部２４と固定用凸状部２５がパチッと噛み合うことで固定される。内視鏡検査施行後は、固定用凹形状部２４と固定用凸状部２５を軽度の力で解除することができ、図１５（Ａ）に示す図１３の正面図や、図１５（Ｂ）に示す図１３のＡ−Ａ’断面図の様に折り畳むことができる。
【００２７】  図１７から図２０は、頂部３Ｅ付近の構造のさらに他の実施例を示している。図１７はその平面図（展開時）であり、４本の親骨１が最頂部の十字形支持体２２に蝶番様連結装置２６で連結され、回動可能なヒンジ構造となっている。十字形支持体２２と親骨１には、それぞれ固定用凹形状部２４と固定用凸状部２５を設けている。図１８は図１７のＢ−Ｂ’断面図で親骨を展開している状態を示しており、図２０は展開時の斜視図である。親骨１が、ストッパー２１により可動域が制限されて固定され、また前記の固定用凹形状部２４と固定用凸状部２５がパチッと噛み合うことで固定される。内視鏡検査施行後は、凹形状部２４と固定するための凸状部２５を軽度の力で解除することができ、図１９に示す図１７のＢ−Ｂ’断面図の様に折り畳むことができる。
【００２８】  本考案の実施例器具を用いて内視鏡検査を終了した後に安全に廃棄する方法を説明する。図２１のように内視鏡装置を挿入する第一の貫通口５と切込み４をテープ２７で塞ぎ、装置内の飛沫やエアロゾルが飛散しないようにしておき、図２２のように親骨１を閉じながら、第二の貫通口７から吸引チューブ８で骨格内の空気を吸引しながら小さく潰していく。このような操作により、内容物が飛散しないように安全に廃棄することができ、ディスポーザブルに向いている。
【００２９】  図２４は図１から図４の実施例における骨格を形成する親骨１の部材が図２３に示すチューブ２８で構成されている場合を示している。このチューブ２８の素材はビニールやタイヤで用いるようなゴムなどを用いる。このチューブ２８で構成される骨格３８は図２４のように、閉空間を構成する立体形状の各稜全てを形成するようにし、その稜で構成される各多角形を各稜に固着された透明ビニール膜２で覆うことにより閉空間を形成する。頂部空気注入部２９は、浮き輪などの空気注入口や自転車のタイヤの空気注入口のような形状を呈している。この注入部からチューブに空気を入れることにより、チューブが骨格として機能し、支持体２２を用いずとも図１から図４で示したと同様の装置を形成することができる。また、チューブ２８とビニール膜２をビニールシート材料から一体に成形することも可能である。このようにすれば、本器具の製造工程が簡略化される効果がある。
【００３０】  図２５は頂部空気注入部２９の拡大図であり、注入口３２近傍には逆流防止弁３３があるため、入れた空気は容易に抜けないようになっている。空気が十分入り骨格を形成できたら図２６に示すように栓３０を閉める。使用後は栓３０を開けて、図２７で示すように空気注入口２９の側面を手３９で押すと、弁３３の切れ込み３４が開き空気が抜けていく。また、図２８に示すように注入口３２から爪楊枝などの棒３５で押して、弁の切れ込み３４を開くようにしても良い。さらに、図２９で示すように頂部空気注入部２９をハサミ３６で切断すれば、短時間でチューブ内の空気を抜くことができる。
【００３１】  骨格の強度の面からは空気注入部が頂部３Ｅ付近に位置しない方が良い場合も想定される。その場合は、空気注入部が図２４に示す側部空気注入部３１のような位置にあっても良い。
【００３２】    チューブ２８を用いた骨格による実施例の内視鏡検査終了後は、図３０のように内視鏡装置を挿入する第一の貫通口５と切込み４をテープ２７で塞ぎ、骨格内の飛沫やエアロゾルが飛散しないようにする。そして図２９に示すように頂部空気注入部２９をハサミ３６で切断することにより、より効率よくチューブ内の空気を抜くことができる。その後は、図３０に示すように第二の貫通口７から吸引チューブ８で装置内の空気を吸引しながら小さく潰していくことで内容物が飛散しないように安全に廃棄することができ、ディスポーザブルに向いている。
【００３３】  前述した蠅帳や傘のような形態やヒンジ式の支持体を用いる実施例と比べ、チューブで骨格を形成する場合は、様々な形態を形作ることができる。図３１にその例を示すように、（Ａ）は四角錐状、（Ｂ）は直方体状または長方体形状、（Ｃ）はアーチ状の例であり、様々な使いやすい形状や大きさに変えて実現することができる。ただ、図２４に示す実施例のように、屋根部分にアーチ２つをクロスして設置する形状にすることにより、骨格を構成するチューブ２８がそもそも材質としての強度が低い場合、またはチューブ内の空気量がやや少なめで強度が低い場合であっても、他の形態に比べて骨格が安定して保たれやすいという利点はあるものと考える。
【００３４】  患者への処置や治療において飛沫やエアロゾル発生の高リスクの処置がある。上部消化管内視鏡検査などもその一つで、検査時の咳嗽、嘔吐などがその原因である。しかしながら吐血など緊急性の高い患者などには内視鏡検査を行う必要があり、医療従事者は飛沫やエアロゾル飛散による被曝の不安を抱えながら日常診療に励んでいる。この悩みは日本国内のみならず全世界の内視鏡医の悩みと考えられる。この内視鏡時に発生する飛沫やエアロゾルをできるだけ飛散させずに封じ込め、そして検査終了後は安全に捨てることができる道具として本考案を開発した。本考案にかかる器具は、一度使用したら使い捨てのディスポーザブルであり、検査後は安全に廃棄することができるため、感染拡大防止に寄与し、日本中、全世界の内視鏡医のニーズに合致したものと考えられる。
【符号の説明】
【００３５】１  親骨
２  透明ビニール膜
３Ａ、３Ｂ、３Ｃ、３Ｄ  親骨の端部
３Ｅ  親骨の頂部
４  切込み
５  第一の貫通口
６  内視鏡装置
７  第二の貫通口
８  吸引チューブ
９  横臥した患者
１０  袋状の受け
１１  袋状受けの連結部
１２  第２の吸引チューブ
１３  蛇腹状受け
１４  つまみ
１５  ひも
１６  外筒
１７  だぼ
１８  内筒
１９  はじき
２０  受骨
２１  ストッパー
２２  十字形支持体
２３  回動用ピン
２４  固定用凹形状部
２５  固定用凸形状部
２６  蝶番様連結装置
２７  テープ
２８  チューブ
２９  頂部空気注入部
３０  栓
３１  側部空気注入部
３２  注入口
３３  逆流防止弁
３４  弁の切れ込み
３５  棒
３６  ハサミ
３７  ハサミ３６で切断された頂部空気注入部２９
３８  チューブ２７で形成される親骨
３９  手
【図１】
0003231737.tif 000003
【図２】
0003231737.tif 000004
【図３】
0003231737.tif 000005
【図４】
0003231737.tif 000006
【図５】
0003231737.tif 000007
【図６】
0003231737.tif 000008
【図７】
0003231737.tif 000009
【図８】
0003231737.tif 000010
【図９】
0003231737.tif 000011
【図１０】
0003231737.tif 000012
【図１１】
0003231737.tif 000013
【図１２】
0003231737.tif 000014
【図１３】
0003231737.tif 000015
【図１４】
0003231737.tif 000016
【図１５】
0003231737.tif 000017
【図１６】
0003231737.tif 000018
【図１７】
0003231737.tif 000019
【図１８】
0003231737.tif 000020
【図１９】
0003231737.tif 000021
【図２０】
0003231737.tif 000022
【図２１】
0003231737.tif 000023
【図２２】
0003231737.tif 000024
【図２３】
0003231737.tif 000025
【図２４】
0003231737.tif 000026
【図２５】
0003231737.tif 000027
【図２６】
0003231737.tif 000028
【図２７】
0003231737.tif 000029
【図２８】
0003231737.tif 000030
【図２９】
0003231737.tif 000031
【図３０】
0003231737.tif 000032
【図３１】
0003231737.tif 000033